(57)【要約】【課題】ケーブル配線工事の負担を軽減する。【解決手段】画像表示用端末装置１０１は、光ファイバ４を介して送られた光信号ＬをＴＭＤＳ規格に準拠したデジタル画像信号Ｖに変換してＤＶＩコネクタ１３に接続したモニタ装置１４へ出力すると共にＬＡＮコネクタ１５に出力する。画像表示用端末装置１０２は、ＬＡＮケーブル３０を介してデジタル画像信号Ｖを受信し、デジタル画像信号ＶをＤＶＩコネクタ２２に接続したモニタ装置２３へ出力すると共にＬＡＮコネクタ２４に出力する。【効果】ＬＡＮケーブルを用いてＴＭＤＳ規格に準拠したデジタル画像信号を送信するので、壁または床に空ける貫通孔が内径２０ｍｍ程度で済み、この程度の貫通孔ならば、コンクリート壁または床でも、大型工事機械を必要としないため、ケーブル配線工事の負担を大幅に軽減できる。【選択図】　図１
2004048133.tif 000002
【特許請求の範囲】
【請求項１】
ＴＭＤＳ規格に準拠したデジタル画像信号が入力される第１のＬＡＮコネクタ（２１）を備えた画像信号入力手段と、前記デジタル画像信号に基づく表示信号を出力するモニタ用コネクタ（２２）を備えた表示信号出力手段と、前記デジタル画像信号を出力する第２のＬＡＮコネクタ（２４）を備えた画像信号出力手段とを具備したことを特徴とする画像表示用端末装置（１０２）。
【請求項２】
光により画像信号が入力される光コネクタ（１２）を備えた光信号入力手段と、前記画像信号に基づく表示信号を出力するモニタ用コネクタ（１３）を備えた表示信号出力手段と、前記画像信号に基づくＴＭＤＳ規格に準拠したデジタル画像信号を出力するＬＡＮコネクタ（１５）を備えた画像信号出力手段とを具備したことを特徴とする画像表示用端末装置（１０１）。
【請求項３】
請求項１または請求項２に記載の画像表示用端末装置（１０２，１０１）において、前記ＬＡＮコネクタ（２１，２４，１５）が、ＲＪ４５コネクタであることを特徴とする画像表示用端末装置（１０２，１０１）。
【請求項４】
光により画像信号を出力する画像出力装置（１）の光出力端子に請求項２に記載の画像表示用端末装置（１０１）の光コネクタ（１２）を光ファイバ（４）で接続し、前記画像表示用端末装置（１０１）のＬＡＮコネクタ（１５）に請求項１に記載の第１の画像表示用端末装置（１０２）の第１のＬＡＮコネクタ（２１）をＬＡＮケーブル（３０）で接続し、請求項１に記載の第ｉ（＝１〜ｎ。ｎ≧１）の画像表示用端末装置（１０２）の第２のＬＡＮコネクタ（２４）に請求項１に記載の第｛ｉ＋１｝の画像表示用端末装置（１０２）の第１のＬＡＮコネクタ（２１）をＬＡＮケーブル（３０）で接続し、各画像表示用端末装置（１０１，１０２）のモニタ用コネクタ（１３，２２）にモニタ装置（１４，２３）を接続したことを特徴とするデジタル画像配信システム（１００）。
【請求項５】
請求項４に記載のデジタル画像配信システム（１００）において、前記ＬＡＮケーブル（３０）が、カテゴリ５のＬＡＮケーブルであることを特徴とするデジタル画像配信システム（１００）。
【請求項６】
ＴＭＤＳ規格に準拠したデジタル画像信号が入力される第１のＬＡＮコネクタ（１６）を備えた画像信号入力手段と、前記デジタル画像信号を複数の第２のＬＡＮコネクタ（１７，１８）に分岐する画像信号出力手段とを具備したことを特徴とするスキャンコンバータ（２０１）。
【請求項７】
請求項４または請求項５に記載のデジタル画像配信システム（１００）において、請求項１に記載の一つの画像表示用端末装置（１０２）の第２のＬＡＮコネクタ（２４）に請求項６に記載のスキャンコンバータ（２０１）の第１のＬＡＮコネクタ（１６）をＬＡＮケーブル（３０）で接続し、前記スキャンコンバータ（２０１）の第２のＬＡＮコネクタ（１７，１８）に後続の請求項１に記載の画像表示用端末装置（１０２）の第１のＬＡＮコネクタ（２１）をＬＡＮケーブル（３０）で接続したことを特徴とするデジタル画像配信システム（２００）。
【発明の詳細な説明】
【０００１】
【発明の属する技術分野】
本発明は、画像表示用端末装置、スキャンコンバータおよびデジタル画像配信システムに関し、さらに詳しくは、ケーブル配線工事の負担を軽減できる画像表示用端末装置、スキャンコンバータおよびデジタル画像配信システムに関する。
【０００２】
【従来の技術】
−従来例１−
図７は、従来のデジタル画像配信システムの一例を示す構成図である。
このデジタル画像配信システム５００において、画像ソースＳから入力された画像信号を、画像出力装置１は、Ｅ／Ｏ（Ｅｌｅｃｔｒｉｃａｌ／Ｏｐｔｉｃａｌ　ｃｏｎｖｅｒｔｅｒ）２および光ファイバ４を介して、光信号Ｌで、画像表示用端末装置５０１へ出力する。
【０００３】
画像表示用端末装置５０１において、中継インタフェース５０は、Ｏ／Ｅ（Ｏｐｔｉｃａｌ／　Ｅｌｅｃｔｒｉｃａｌ　ｃｏｎｖｅｒｔｅｒ）１１およびコネクタ１２を介して、光信号Ｌで、画像信号を受信する。そして、画像信号を、ＴＭＤＳ（Ｔｒａｎｓｉｔｉｏｎ　ＭｉｎｉｍｉｚｅｄＤｉｆｆｅｒｅｎｔｉａｌ　ｄｉｓｐｌａｙ　Ｓｉｇｎａｌｉｎｇ）規格に準拠したデジタル画像信号Ｖに変換し、そのデジタル画像信号Ｖを、ＤＶＩ（Ｄｉｇｉｔａｌ　Ｖｉｄｅｏ　Ｉｎｔｅｒｆａｃｅ）コネクタ１３に接続したモニタ装置１４へ出力する。また、デジタル画像信号Ｖを、ＤＶＩコネクタ５５およびＤＶＩケーブル７０−１を介して、第１の画像表示用端末装置５０２−１へ送信する。
【０００４】
第１の画像表示用端末装置５０２−１において、中継インタフェース６０−１は、ＤＶＩコネクタ６１−１に入力されたデジタル画像信号Ｖを受信する。そして、デジタル画像信号Ｖを、ＤＶＩコネクタ２２−１に接続したモニタ装置２３−１へ出力する。また、デジタル画像信号Ｖを、ＤＶＩコネクタ６４−１およびＤＶＩケーブル７０−２を介して、第２の画像表示用端末装置５０２−２へ送信する。
【０００５】
第２の画像表示用端末装置５０２−２において、中継インタフェース６０−２は、ＤＶＩコネクタ６１−２に入力されたデジタル画像信号Ｖを受信する。そして、デジタル画像信号Ｖを、ＤＶＩコネクタ２２−２に接続したモニタ装置２３−２へ出力する。また、デジタル画像信号Ｖを、ＤＶＩコネクタ６４−２およびＤＶＩケーブル７０−３を介して、第３以降の画像表示用端末装置（図示せず）へ送信する。
【０００６】
以上により、モニタ装置１４，２３−１，２３−２，…の画面に、同一の画像が表示される。
【０００７】
図８は、ＤＶＩコネクタ１３，２２，５５，６１，６４を示す斜視図である。
幅Ｗ５１は４０ｍｍ程度である。高さＨ５１は１０ｍｍ程度である。
【０００８】
ＤＶＩコネクタ５５，６１，６４を通過させるために、壁または床Ｐ１’，Ｐ２’，Ｐ３’，…には、内径５０ｍｍ程度の貫通孔を空ける必要がある。
【０００９】
−従来例２−
図９は、従来のデジタル画像配信システムの他例を示す構成図である。
このデジタル画像配信システム６００において、画像ソースＳから入力された画像信号を、画像出力装置１は、Ｅ／Ｏ（Ｅｌｅｃｔｒｉｃａｌ／Ｏｐｔｉｃａｌ　ｃｏｎｖｅｒｔｅｒ）２および光ファイバ４を介して、光信号Ｌで、光信号分配器６０１へ出力する。
【００１０】
光信号分配器６０１は、光信号Ｌを光信号Ｌａ，Ｌｂに分配し、光ファイバ５ａを介して、光信号Ｌａで、画像信号を画像表示用端末装置５０１ａへ出力し、光ファイバ５ｂを介して、光信号Ｌｂで、画像信号を画像表示用端末装置５０１ｂへ出力する。
【００１１】
画像表示用端末装置５０１ａにおいて、中継インタフェース５０ａは、Ｏ／Ｅ１１ａおよびコネクタ１２ａを介して、光信号Ｌａで、画像信号を受信する。そして、画像信号を、ＴＭＤＳ規格に準拠したデジタル画像信号Ｖに変換し、そのデジタル画像信号Ｖを、ＤＶＩコネクタ１３ａに接続したモニタ装置１４ａへ出力する。また、デジタル画像信号Ｖを、ＤＶＩコネクタ５５ａおよびＤＶＩケーブル７０ａ−１を介して、ａ系列の第１の画像表示用端末装置５０２ａ−１へ送信する。
【００１２】
画像表示用端末装置５０２ａ−１，５０２ａ−２の動作は、図７のデジタル画像配信システム５００における画像表示用端末装置５０２−１，５０２−２の動作と同様である。
【００１３】
一方、画像表示用端末装置５０１ｂにおいて、中継インタフェース５０ｂは、Ｏ／Ｅ１１ｂおよびコネクタ１２ｂを介して、光信号Ｌｂで、画像信号を受信する。そして、画像信号を、ＴＭＤＳ規格に準拠したデジタル画像信号に変換し、そのデジタル画像信号Ｖを、ＤＶＩコネクタ１３ｂに接続したモニタ装置１４ｂへ出力する。また、デジタル画像信号Ｖを、ＤＶＩコネクタ５５ｂおよびＤＶＩケーブル７０ｂ−１を介して、ｂ系列の第１の画像表示用端末装置５０２ｂ−１へ送信する。
【００１４】
画像表示用端末装置５０２ｂ−１，５０２ｂ−２の動作は、図７のデジタル画像配信システム５００における画像表示用端末装置５０２−１，５０２−２の動作と同様である。
【００１５】
ＤＶＩコネクタ５５，６１，６４を通過させるために、壁または床Ｐ１ａ’〜Ｐ３ａ’，Ｐ１ｂ’〜Ｐ３ｂ’には、内径５０ｍｍ程度の貫通孔を空ける必要がある。
【００１６】
【発明が解決しようとする課題】
従来のデジタル画像配信システム５００，６００では、壁または床Ｐ１，Ｐ２，…に内径５０ｍｍ程度の貫通孔を空ける必要がある。
しかし、壁または床Ｐ１，Ｐ２，…がコンクリート壁または床の場合には、大型工事機械が必要となり、ケーブル配線工事の負担が非常に重くなる問題点があった。
【００１７】
また、デジタル画像配信システム６００では、光信号分配器６０１が必要となる。
しかし、光信号分配器６０１は、高価であり、コストが高くなる問題点があった。
【００１８】
そこで、本発明の第１の目的は、ケーブル配線工事の負担を軽減できる画像表示用端末装置およびデジタル画像配信システムを提供することにある。
【００１９】
また、本発明の第２の目的は、高価な光信号分配器を不必要にするスキャンコンバータおよびデジタル画像配信システムを提供することにある。
【００２０】
【課題を解決するための手段】
第１の観点では、本発明は、ＴＭＤＳ規格に準拠したデジタル画像信号が入力される第１のＬＡＮコネクタ（２１）を備えた画像信号入力手段と、前記デジタル画像信号に基づく表示信号を出力するモニタ用コネクタ（２２）を備えた表示信号出力手段と、前記デジタル画像信号を出力する第２のＬＡＮコネクタ（２４）を備えた画像信号出力手段とを具備したことを特徴とする画像表示用端末装置（１０２）を提供する。
上記第１の観点による画像表示用端末装置（１０２）では、ＬＡＮケーブルで他の画像表示用端末装置と接続できるため、ＬＡＮコネクタを通過させうる内径２０ｍｍ程度の貫通穴が壁または床にあればよい。ところが、内径２０ｍｍ程度の貫通穴なら、コンクリート壁または床でも、工具で穿設可能となるため、ケーブル配線工事の負担を大幅に軽減できる。また、内径５０ｍｍ程度の既設の配管はほとんどないが、内径２０ｍｍ程度の既設の配管はあることが多いため、既設の配管を利用してケーブル配線することも可能になり、この点でもケーブル配線工事の負担を軽減できる。
【００２１】
なお、ＬＡＮコネクタおよびＬＡＮケーブルでは、ＤＶＩコネクタおよびＤＶＩケーブルに比べて少ない数の信号しか伝送できないが、画像表示に不要なＤＤＣ（Ｄｉｓｐｌａｙ　Ｄａｔａ　Ｃｈａｎｎｅｌ）や＋５Ｖの信号等の伝送を省略することで、画像表示に必要な全信号（例えばＲ，Ｇ，Ｂの各信号やピクセルクロック信号）を伝送可能である。
【００２２】
第２の観点では、本発明は、光により画像信号が入力される光コネクタ（１２）を備えた光信号入力手段と、前記画像信号に基づく表示信号を出力するモニタ用コネクタ（１３）を備えた表示信号出力手段と、前記画像信号に基づくＴＭＤＳ規格に準拠したデジタル画像信号を出力するＬＡＮコネクタ（１５）を備えた画像信号出力手段とを具備したことを特徴とする画像表示用端末装置（１０１）を提供する。
上記第２の観点による画像表示用端末装置（１０１）では、ＬＡＮケーブルで他の画像表示用端末装置と接続できるため、ＬＡＮコネクタを通過させうる内径２０ｍｍ程度の貫通穴が壁または床にあればよい。ところが、内径２０ｍｍ程度の貫通穴なら、コンクリート壁または床でも、工具で穿設可能となるため、ケーブル配線工事の負担を大幅に軽減できる。また、内径５０ｍｍ程度の既設の配管はほとんどないが、内径２０ｍｍ程度の既設の配管はあることが多いため、既設の配管を利用してケーブル配線することも可能になり、この点でもケーブル配線工事の負担を軽減できる。
【００２３】
第３の観点では、本発明は、上記構成の画像表示用端末装置（１０２，１０１）において、前記ＬＡＮコネクタ（２１，２４，１５）が、ＲＪ４５コネクタであることを特徴とする画像表示用端末装置（１０２，１０１）を提供する。
上記第３の観点による画像表示用端末装置（１０２，１０１）では、ＲＪ４５コネクタを通過させうる内径２０ｍｍ程度の貫通穴が壁または床にあればよい。ところが、内径２０ｍｍ程度の貫通穴なら、コンクリート壁または床でも、工具で穿設可能となるため、ケーブル配線工事の負担を大幅に軽減できる。また、内径５０ｍｍ程度の既設の配管はほとんどないが、内径２０ｍｍ程度の既設の配管はあることが多いため、既設の配管を利用してケーブル配線することも可能になり、この点でもケーブル配線工事の負担を軽減できる。
【００２４】
第４の観点では、本発明は、光により画像信号を出力する画像出力装置（１）の光出力端子に請求項２に記載の画像表示用端末装置（１０１）の光コネクタ（１２）を光ファイバ（４）で接続し、前記画像表示用端末装置（１０１）のＬＡＮコネクタ（１５）に請求項１に記載の第１の画像表示用端末装置（１０２）の第１のＬＡＮコネクタ（２１）をＬＡＮケーブル（３０）で接続し、請求項１に記載の第ｉ（＝１〜ｎ。ｎ≧１）の画像表示用端末装置（１０２）の第２のＬＡＮコネクタ（２４）に請求項１に記載の第｛ｉ＋１｝の画像表示用端末装置（１０２）の第１のＬＡＮコネクタ（２１）をＬＡＮケーブル（３０）で接続し、各画像表示用端末装置（１０１，１０２）のモニタ用コネクタ（１３，２２）にモニタ装置（１４，２３）を接続したことを特徴とするデジタル画像配信システム（１００）を提供する。
上記第４の観点によるデジタル画像配信システム（１００）では、画像出力装置（１）から出力された画像をすべての画像表示用端末装置（１０１，１０２）のモニタ装置（１４，２３）で同時に表示できる。また、各画像表示用端末装置置（１０１，１０２）の間をＬＡＮケーブル（３０）で接続するため、ＬＡＮコネクタを通過させうる内径２０ｍｍ程度の貫通穴が壁または床にあればよい。ところが、内径２０ｍｍ程度の貫通穴なら、コンクリート壁または床でも、工具で穿設可能となるため、ケーブル配線工事の負担を大幅に軽減できる。また、内径５０ｍｍ程度の既設の配管はほとんどないが、内径２０ｍｍ程度の既設の配管はあることが多いため、既設の配管を利用してケーブル配線することも可能になり、この点でもケーブル配線工事の負担を軽減できる。
【００２５】
第５の観点では、本発明は、上記構成のデジタル画像配信システム（１００）において、前記ＬＡＮケーブル（３０）が、カテゴリ５のＬＡＮケーブルであることを特徴とするデジタル画像配信システム（１００）を提供する。
上記第５の観点によるデジタル画像配信システム（１００）では、後述するように、ＤＶＩケーブルよりも良い伝送特性でデジタル画像信号を伝送できる。
【００２６】
第６の観点では、本発明は、ＴＭＤＳ規格に準拠したデジタル画像信号が入力される第１のＬＡＮコネクタ（１６）を備えた画像信号入力手段と、前記デジタル画像信号を複数の第２のＬＡＮコネクタ（１７，１８）に分岐する画像信号出力手段とを具備したことを特徴とするスキャンコンバータ（２０１）を提供する。
上記第６の観点によるスキャンコンバータ（２０１）では、デジタル画像信号を分配するので、高価な光信号分配器が不必要になり、コストを低減できる。
【００２７】
第７の観点では、本発明は、上記構成のデジタル画像配信システム（１００）において、請求項１に記載の一つの画像表示用端末装置（１０２）の第２のＬＡＮコネクタ（２４）に請求項６に記載のスキャンコンバータ（２０１）の第１のＬＡＮコネクタ（１６）をＬＡＮケーブル（３０）で接続し、前記スキャンコンバータ（２０１）の第２のＬＡＮコネクタ（１７，１８）に後続の請求項１に記載の画像表示用端末装置（１０２）の第１のＬＡＮコネクタ（２１）をＬＡＮケーブル（３０）で接続したことを特徴とするデジタル画像配信システム（２００）を提供する。
上記第７の観点によるデジタル画像配信システム（２００）では、デジタル画像信号をスキャンコンバータ（２０１）で分配するので、高価な光信号分配器が不必要になり、コストを低減できる。
【００２８】
【発明の実施の形態】
以下、図に示す実施の形態により本発明をさらに詳細に説明する。なお、これにより本発明が限定されるものではない。
【００２９】
−第１の実施形態−
図１は、第１の実施形態にかかるデジタル画像配信システムを示す構成図である。
このデジタル画像配信システム１００は、画像出力装置１およびＥ／Ｏ２と、光ファイバ４と、画像表示用端末装置１０１と、ＬＡＮ（Ｌｏｃａｌ　Ａｒｅａ　Ｎｅｔｗｏｒｋ）ケーブル３０−１と、画像表示用端末装置１０２−１と、ＬＡＮケーブル３０−２と、画像表示用端末装置１０２−２と、ＬＡＮケーブル３０−３とを具備して構成されている。
【００３０】
画像出力装置２は、画像ソース（例えばコンピュータ）からの画像信号を、光信号Ｌに変換し、光ファイバ４を介して、画像表示用端末装置１０１へ出力する。光ファイバ４の長さは、例えば３０ｍ〜１０００ｍ程度である。
【００３１】
画像表示用端末装置１０１において、中継インタフェース１０は、Ｏ／Ｅ１１およびコネクタ１２を介して、光信号Ｌで、画像信号を受信する。そして、画像信号を、ＴＭＤＳ規格に準拠したデジタル画像信号に変換し、そのデジタル画像信号Ｖを、ＤＶＩコネクタ１３に接続したモニタ装置１４へ出力する。また、デジタル画像信号Ｖを、ＬＡＮコネクタ１５およびＬＡＮケーブル３０−１を介して、第１の画像表示用端末装置１０２−１へ送信する。ＬＡＮケーブル３０−１の長さは、例えば３ｍ〜１００ｍ程度である。
【００３２】
第１の画像表示用端末装置１０２−１において、中継インタフェース２０−１は、ＬＡＮコネクタ２１−１に入力されたデジタル画像信号Ｖを受信する。そして、デジタル画像信号Ｖを、ＤＶＩコネクタ２２−１に接続したモニタ装置２３−１へ出力する。また、デジタル画像信号Ｖを、ＬＡＮコネクタ２４−１およびＬＡＮケーブル３０−２を介して、第２の画像表示用端末装置１０２−２へ送信する。
【００３３】
第２の画像表示用端末装置１０２−２において、中継インタフェース２０−２は、ＬＡＮコネクタ２１−２に入力されたデジタル画像信号Ｖを受信する。そして、デジタル画像信号Ｖを、ＤＶＩコネクタ２２−２に接続したモニタ装置２３−２へ出力する。また、デジタル画像信号Ｖを、ＬＡＮコネクタ２４−２およびＬＡＮケーブル３０−３を介して、第３以降の画像表示用端末装置（図示せず）へ送信する。
【００３４】
以上により、モニタ装置１４，２３−１，２３−２，…の画面に、同一の画像が表示される。
【００３５】
図２は、ＲＪ４５コネクタのＬＡＮコネクタ１５，２１，２４を示す斜視図である。
幅Ｗは、１２ｍｍ程度である。高さＨは、７ｍｍ程度である。
ＬＡＮケーブル３０は、カテゴリ５のＬＡＮケーブルである。
【００３６】
ＬＡＮコネクタ１５，２１，２４を通過させるために、壁または床Ｐ１，Ｐ２，Ｐ３，…には、内径２０ｍｍ程度の貫通孔を空ける必要がある。
【００３７】
次に、ＬＡＮケーブル３０の伝送特性について説明する。
ＬＡＮケーブル３０として、カテゴリ５の長さ１０ｍのＬＡＮケーブルを用いた。また、比較例として、長さ１０ｍのＤＶＩケーブル７０を用いた。
【００３８】
図３に、入力するデジタル画像信号のアイパターンを示す。
図４に、ＬＡＮケーブル３０を経たデジタル画像信号のアイパターンを示す。図５に、ＤＶＩケーブル７０を経たデジタル画像信号のアイパターンを示す。横軸は、時間軸であり、２００ｐｓ／ｄｉｖである。縦軸は、電圧であり、１００ｍＶ／ｄｉｖである。
【００３９】
図３〜図５を比較すると、意外にも、ＤＶＩケーブル７０よりＬＡＮケーブル３０の方が伝送特性が良いことが判る。
【００４０】
第１の実施形態にかかるデジタル画像配信システム１００によれば、画像表示用端末装置１０１，１０２−１，１０２−２，…の間をＬＡＮケーブル３０−１，３０−２，３０−３，…で接続したので、壁または床Ｐ１，Ｐ２，Ｐ３に空ける貫通孔が内径２０ｍｍ程度で済み、この程度の貫通孔ならば、コンクリート壁または床でも、大型工事機械を必要としないため、ケーブル配線工事の負担を大幅に軽減できる。また、内径５０ｍｍ程度の既設の配管はほとんどないが、内径２０ｍｍ程度の既設の配管ならあることが多いため、既設の配管を利用することが可能となり、ケーブル配線工事の負担をいっそう軽減できる。
【００４１】
なお、ＬＡＮケーブル３０として、伝送距離，画質仕様，価格等の条件に応じて、エンハンストカテゴリ５のＬＡＮケーブルを採用してもよい。
また、ＵＴＰ（Ｕｎｓｈｉｅｌｄｅｄ　Ｔｗｉｓｔｅｄ　Ｐａｉｒ）やＳＴＰ（Ｓｈｉｅｌｄｅｄ　Ｔｗｉｓｔｅｄ　Ｐａｉｒ）のどちらのタイプを用いてもよいが、耐ノイズ性の見地からは後者が好ましい。
【００４２】
−第２の実施形態−
図６は、第２の実施形態にかかるデジタル画像配信システムを示す構成図である。
このデジタル画像配信システム２００において、画像出力装置１およびＥ／Ｏ２と、光ファイバ４と、画像表示用端末装置１０１，１０２−１，１０２−２と、ＬＡＮケーブル３０−１，３０−２は、第１の実施形態にかかるデジタル画像配信システム１００の構成要素と同じである。
【００４３】
第２の画像表示用端末装置１０２−２において、中継インタフェース２０−２は、デジタル画像信号Ｖを、ＬＡＮコネクタ２４−２およびＬＡＮケーブル３０−３を介して、スキャンコンバータ２０１へ送信する。
【００４４】
スキャンコンバータ２０１は、ＬＡＮコネクタ１６に入力されたデジタル画像信号Ｖを受信する。そして、デジタル画像信号Ｖにジッタ（ｊｉｔｔｅｒ）除去やレベル補正の処理を施す。さらに、処理したデジタル画像信号Ｖを、ＬＡＮコネクタ１７，１８およびＬＡＮケーブル３０−４，３０−５を介して、画像表示用端末装置１０２−３，１０２−４へ分配する。なお、出力用のＬＡＮコネクタを３以上にしてもよい。
【００４５】
第２の実施形態にかかるデジタル画像配信システム２００によれば、デジタル画像信号Ｖを複数の画像表示用端末装置１０２−３，１０２−４に分配するので高価な光信号分配器が不必要になり、コストを低減できる。
、
【００４６】
【発明の効果】
本発明の画像表示用端末装置、スキャンコンバータおよびデジタル画像配信システムによれば、コネクタがコンパクトなＬＡＮケーブルを用いてＴＭＤＳ規格に準拠したデジタル画像信号を送信するので、壁または床に空ける貫通孔が内径２０ｍｍ程度で済み、この程度の貫通孔ならば、コンクリート壁または床でも、大型工事機械を必要としないため、ケーブル配線工事の負担を大幅に軽減できる。また、内径５０ｍｍ程度の既設の配管はほとんどないが、内径２０ｍｍ程度の既設の配管ならあることが多いため、既設の配管を利用することが可能となり、ケーブル配線工事の負担をいっそう軽減できる。
【００４７】
なお、本発明のデジタル画像配信システムは、例えば、中古車オークション会場のバイヤー席や、ＣＡＥ（Ｃｏｍｐｕｔｅｒ　Ａｉｄｅｄ　Ｅｄｕｃａｔｉｏｎ）教室の生徒席や、プレゼンテーション会場の各所に設けられた画面に同一画像を配信する場合に有用である。
【図面の簡単な説明】
【図１】第１の実施形態にかかるデジタル画像配信システムを示す構成図である。
【図２】ＬＡＮコネクタを示す斜視図である。
【図３】ケーブル特性評価用の入力波形を示す説明図である。
【図４】図３の入力波形をＬＡＮケーブル（カテゴリ５）に入力したときの出力波形を示す説明図である。
【図５】図３の入力波形をＤＶＩケーブルに入力したときの出力波形を示す説明図である。
【図６】第２の実施形態にかかるデジタル画像配信システムを示す構成図である。
【図７】従来のデジタル画像配信システムの一例を示す構成図である。
【図８】ＤＶＩコネクタを示す斜視図である。
【図９】従来のデジタル画像配信システムの他例を示す構成図である。
【符号の説明】
１００，２００　　　　　デジタル画像配信システム
１　　　　　　　　　　　画像出力装置
２　　　　　　　　　　　Ｅ／Ｏ
４　　　　　　　　　　　光ファイバ
１０，２０　　　　　　　中継インタフェース
１１　　　　　　　　　　Ｏ／Ｅ
１２　　　　　　　　　　光コネクタ
１３，２２　　　　　　　ＤＶＩコネクタ
１４，２３　　　　　　　モニタ装置
１５，１６，１７　　　　ＬＡＮコネクタ
１８，２１，２４　　　　ＬＡＮコネクタ
３０　　　　　　　　　　ＬＡＮケーブル
１０１，１０２　　　　　画像表示用端末装置
２０１　　　　　　　　　スキャンコンバータ
Ｌ　　　　　　　　　　　光信号
Ｐ１，Ｐ２，Ｐ３，Ｐ４　壁または床
Ｓ　　　　　　　　　　　画像ソース
Ｖ　　　　　　　　　　　デジタル画像信号
【図１】
2004048133.tif 000003
【図２】
2004048133.tif 000004
【図３】
2004048133.tif 000005
【図４】
2004048133.tif 000006
【図５】
2004048133.tif 000007
【図６】
2004048133.tif 000008
【図７】
2004048133.tif 000009
【図８】
2004048133.tif 000010
【図９】
2004048133.tif 000011